(57)【要約】      （修正有）【課題】光沢と色調の複雑・多様に変化する興趣と高級感に富む疑似ホログラム印刷物を提供する。【解決手段】表面が光反射層１１である印刷基材１０の表面に印刷された着色下地層１２と、その着色下地層を表側から被覆するように印刷された断面平凸レンズ形の透明被覆層１３とを備え、上記着色下地層を異なる複数の平行な有色画線１２ａ、１２ｂ、１２ｃから成る１組が規則正しく離隔的に繰り返し並列する万線から形作ると共に、その１組ずつを上記着色下地層の万線よりも広い線幅Ｗ２の万線から成る透明被覆層によって被覆した。【選択図】図３
2020124832.tif 000002
【特許請求の範囲】
【請求項１】
表面に光反射層を有する印刷基材又は裏面に光反射層を有する透明の印刷基材と、
異なる複数の平行な有色画線から成る１組が規則正しく離隔的に繰り返し並列する万線として、上記印刷基材の表面に印刷された着色下地層と、
その着色下地層の上記異なる複数の平行な有色画線から成る１組ずつを表側から全体的に被覆すべく、上記着色下地層の万線よりも広い線幅の万線として印刷された透明被覆層とを備え、
上記透明被覆層が断面平凸レンズ形又はカマボコ形をなすと共に、その透明被覆層同士の隣り合う相互間が無印刷の空白部として、その空白部から上記印刷基材の表面が露出していることを特徴とする疑似ホログラム印刷物。
【請求項２】
着色下地層における１組をなす異なる複数の平行な有色画線が、その線幅又は／及び隣り合う間隔ピッチのすべて同一であると共に、
上記１組ずつを被覆した透明被覆層同士の離隔するピッチも、すべて同一であることを特徴とする請求項１記載の疑似ホログラム印刷物。
【請求項３】
着色下地層における１組をなす異なる複数の平行な有色画線が、シアン、マゼンタ並びにイエローのうちの少なくとも２色から成ることを特徴とする請求項１記載の疑似ホログラム印刷物。
【請求項４】
着色下地層における１組をなす異なる複数の平行な有色画線が、隣り合う間隔を保つ並列状態若しくは隣り合う間隔のない並列状態又は積層重ね刷り状態にあることを特徴とする請求項１記載の疑似ホログラム印刷物。
【請求項５】
着色下地層がその配列角度、線幅又は／及び隣り合う間隔ピッチの異なる万線から成る複数の識別できる可飾線画像として、非重ね刷り状態に区分されていることを特徴とする請求項１記載の疑似ホログラム印刷物。
【請求項６】
着色下地層の可飾線画像が文字、図形、記号、模様又はこれらの組み合わせから成る標章として、その標章の輪郭が万線の切り離し両端部によって画定されていることを特徴とする請求項５記載の疑似ホログラム印刷物。
【請求項７】
表面が光反射層である印刷基材又は裏面が光反射層である透明な印刷基材の表面に着色下地層を形成すべく、異なる複数の平行な有色画線から成る１組が規則正しく離隔的に繰り返し並列する万線を、有色インクによって印刷する着色下地層形成工程と、
その着色下地層の上記異なる複数の平行な有色画線から成る１組ずつを表側から全体的に被覆すべく、上記着色下地層の有色画線よりも広い線幅の万線を、透明ニスによって断面平凸レンズ形又はカマボコ形に印刷する透明被覆層形成工程とを、インクジェットプリンターによって行うことを特徴とする疑似ホログラム印刷物の製造法。
【請求項８】
着色下地層形成工程での万線を印刷する有色インク並びに透明被覆層形成工程での万線を印刷する透明ニスとして、ＵＶ硬化型のそれらを採用することを特徴とする請求項７記載の疑似ホログラム印刷物の製造法。
【発明の詳細な説明】
【技術分野】
【０００１】
本発明はホログラムと同様な興趣変化に富む視覚効果を得られる商品ラベルや装飾シール、その他の疑似ホログラム印刷物と、その量産上有効な製造法に関する。
【背景技術】
【０００２】
本発明に近似する疑似ホログラム印刷物やその製造法が、特許文献１、２に開示されている。
【０００３】
その特許文献１に記載の印刷物は、表面に多数の凸部（３Ａ）又は凹部（３Ｂ）を有する光が透過可能であって、透明なニスにて構成された透過層（３）と、その透過層（３）の裏面側に設けられた光の反射面（５Ａ）を有する反射層（５）と、上記透過層（３）と反射層（５）との間に設けられ、多数の有色着色部（７Ａ）が印刷により離散的に配置された着色層（７）と、同じく透過層（３）と反射層（５）との間に設けられ、上記有色着色部（７Ａ）の厚み寸法（Ｔ２）と同一の厚み寸法を有し、その有色着色部（７Ａ）同士の隣り合う相互間にメジウム（無色透明インク）にて印刷された無色部（９）とを備え、その無色部（９）が上記透過層（３）の凹部（３Ｂ）と対応する部位に設けられた構成である。
【０００４】
他方、特許文献２に記載の疑似ホログラム印刷物は、印刷対象物（１０）の表面にある光の反射層（２）と、その反射層（２）の上層へ有色インクによって印刷された有色インク層（３）と、その有色インク層（３）の上層における所定の範囲へ透明インクによって印刷される疑似ホログラム層（４）とを有する疑似ホログラム印刷物（１）であって、
【０００５】
その疑似ホログラム層（４）が上記有色インク層（３）の光の反射率を低減する複数のつや消し透明インク部（４１）と、同じく有色インク層（３）の光の反射率を高める複数の光沢透明インク部（４２）と、上記つや消し透明インク及び光沢透明インクを印刷しない複数の空白部（４３）とのうち、少なくともいずれか２つ以上で構成されている。
【０００６】
また、特許文献２に記載された疑似ホログラム印刷物の製造法は、印刷対象物（１０）の表面にある光反射層（２）の上層へ有色インクを印刷する有色インク印刷工程（Ｓ１）と、その有色インクの上層における所定の範囲内へつや消し透明インクを離隔的に印刷するつや消し透明インク印刷工程（Ｓ２）と、同じく有色インクの上層における所定の範囲内へ光沢透明インクを、上記つや消し透明インクの印刷部分と異なる位置であって、且つ離隔的に印刷する光沢透明インク印刷工程（Ｓ３）とを有している。
【先行技術文献】
【特許文献】
【０００７】
【特許文献１】特許第６２７１８５５号公報
【特許文献２】特開２０１７−７１１３７号公報
【発明の概要】
【発明が解決しようとする課題】
【０００８】
ところが、上記特許文献１に記載された印刷物の構成では、透明ニスにて印刷形成された光の透過層（３）が、その表面に必ず凹部（３Ｂ）を有することに加えて、着色層（７）の無色部（９）がメジウム（無色透明インク）にて、有色着色部（７Ａ）の厚み寸法（Ｔ２）と同一の厚み寸法に印刷されてもいるため、上記光の透過層（３）における凸部（３Ａ）と凹部（３Ｂ）との高低差を大きく確保し難く、ただ単に光を散乱させるというに過ぎない。
【０００９】
また、上記透過層（３）の凸部（３Ａ）が万線となる旨の説明はない。しかも、上記着色層（７）の有色着色部（７Ａ）が着色カラーの異なる有色画線から成る万線として印刷されている旨の説明もない。
【００１０】
そのため、上記着色層（７）の有色着色部（７Ａ）がたとえ縞模様に印刷されたとしても、その縞模様となる平行線や交叉線が太いベタ刷り状態にあると、複雑・多様な色調の興趣変化や高級感に富む目視効果を得られないのである。
【００１１】
他方、特許文献２に記載の疑似ホログラム印刷物では、透明インクの印刷されていない空白部（４３）を有するが、光の反射率が異なるつや消し透明インク部（４１）と光沢透明インク部（４２）と上記空白部（４３）とのうち、その少なくともいずれか２つ以上を有色インク層（３）と混在させる構成によって、観察者に立体的な錯覚を与えるようになっている。
【００１２】
そのため、上記有色インク層（３）有色インクが単一色であると、その濃淡の変化は得られても、色調の変化は得られないのであり、まして有色インク層（３）の有色インクにより印刷された図柄や文字などの画像は、万線から区画形成されていないので、やはり複雑・多様な色調の変化や高級感に富む疑似ホログラム印刷物を得られないのである。
【００１３】
更に、その印刷物の製造法としても有色インク印刷工程（Ｓ１）のほかに、その後行うつや消し透明インク印刷工程（Ｓ２）と光沢透明インク印刷工程（Ｓ３）とが必要であり、しかもそのつや消し透明インクと光沢透明インクとは何れも、有色インクによって印刷された文字部分と重なり合わないように印刷しなければならないため、甚だ煩わしく、量産効果を発揮させることができない。
【課題を解決するための手段】
【００１４】
本発明はこのような課題の改良を目的としており、その目的を達成するために、請求項１では疑似ホログラム印刷物の構成として、表面に光反射層を有する印刷基材又は裏面に光反射層を有する透明の印刷基材と、
【００１５】
異なる複数の平行な有色画線から成る１組が規則正しく離隔的に繰り返し並列する万線として、上記印刷基材の表面に印刷された着色下地層と、
【００１６】
その着色下地層の上記異なる複数の平行な有色画線から成る１組ずつを表側から全体的に被覆すべく、上記着色下地層の万線よりも広い線幅の万線として印刷された透明被覆層とを備え、
【００１７】
上記透明被覆層が断面平凸レンズ形又はカマボコ形をなすと共に、その透明被覆層同士の隣り合う相互間が無印刷の空白部として、その空白部から上記印刷基材の表面が露出していることを特徴とする。
【００１８】
また、請求項２では着色下地層における１組をなす異なる複数の平行な有色画線が、その線幅又は／及び隣り合う間隔ピッチのすべて同一であると共に、
【００１９】
上記１組ずつを被覆した透明被覆層同士の離隔するピッチも、すべて同一であることを特徴とする。
【００２０】
請求項３では着色下地層における１組をなす異なる複数の平行な有色画線が、シアン、マゼンタ並びにイエローのうちの少なくとも２色から成ることを特徴とする。
【００２１】
請求項４では着色下地層における１組をなす異なる複数の平行な有色画線が、隣り合う間隔を保つ並列状態若しくは隣り合う間隔のない並列状態又は積層重ね刷り状態にあることを特徴とする。
【００２２】
請求項５では着色下地層がその配列角度、線幅又は／及び隣り合う間隔ピッチの異なる万線から成る複数の識別できる可飾線画像として、非重ね刷り状態に区分されていることを特徴とする。
【００２３】
請求項６では着色下地層の可飾線画像が文字、図形、記号、模様又はこれらの組み合わせから成る標章として、その標章の輪郭が万線の切り離し両端部によって画定されていることを特徴とする。
【００２４】
他方、請求項７では疑似ホログラム印刷物の製造法として、表面が光反射層である印刷基材又は裏面が光反射層である透明な印刷基材の表面に着色下地層を形成すべく、異なる複数の平行な有色画線から成る１組が規則正しく離隔的に繰り返し並列する万線を、有色インクによって印刷する着色下地層形成工程と、
【００２５】
その着色下地層の上記異なる複数の平行な有色画線から成る１組ずつを表側から全体的に被覆すべく、上記着色下地層の有色画線よりも広い線幅の万線を、透明ニスによって断面平凸レンズ形又はカマボコ形に印刷する透明被覆層形成工程とを、インクジェットプリンターによって行うことを特徴とする。
【００２６】
請求項８では着色下地層形成工程での万線を印刷する有色インク並びに透明被覆層形成工程での万線を印刷する透明ニスとして、ＵＶ硬化型のそれらを採用することを特徴とする。
【発明の効果】
【００２７】
請求項１の上記構成によれば、その疑似ホログラム印刷物の着色下地層が異なる複数の平行な有色画線の１組を規則正しく離隔的に繰り返し並列した万線から成る一方、その着色下地層における有色画線の１組ずつを表側から全体的に被覆する透明被覆層も、広い線幅の万線から成ると共に、その透明被覆層は断面平凸レンズ形又はカマボコ形として、その隣り合う同士の相互間が無印刷の空白部を確保する並列状態に印刷されているため、冒頭に述べた従来技術の課題を悉く改良することができ、光沢と色調の複雑・多様に変化する興趣と高級感に富む目視効果を得られるのである。
【００２８】
その場合、上記真正なホログラムと同様の目視効果は、請求項２〜４の何れの構成を採用しても達成することができる。
【００２９】
特に、請求項５の構成を採用するならば、図８、９の実施形態に例示するような複数の可飾線画像の合成状態をなす疑似ホログラム印刷物として提供することができ、光沢と色調がますます複雑・多様に変化する独創性や装飾性などの高い印刷物を得られる。
【００３０】
その場合、請求項６の構成を採用するならば、上記可飾線画像の更に複雑・多様な組み合わせ状態を得られ、上記効果がますます向上する。
【００３１】
他方、請求項７の製造法によれば、上記請求項１の疑似ホログラム印刷物をその工程全体のほぼ同時にすばやく実行することができ、着色下地層における着色カラーが異なる複数の有色画線を、その重ね刷りによる汚濁のおそれなく、極めて容易に印刷し得るのであり、量産性に優れる。
【００３２】
更に、請求項８の構成を採用するならば、有色インクと透明ニスとの何れもＵＶ硬化型として、すばやく乾燥・固化するため、上記効果がますます向上する。
【図面の簡単な説明】
【００３３】
【図１】本発明の第１実施形態に係る疑似ホログラム印刷物の正面図である。
【図２】図１の一部を抽出して示す拡大説明図である。
【図３】図２の３−３線断面図である。
【図４】図３から着色下地層の１組をなす複数の有色画線と、その１組の透明被覆層を抽出して示す斜面図である。
【図５】図３と対応する部分変形実施形態を示す断面図である。
【図６】図５と別な部分変形実施形態を示す断面図である。
【図７】図６と更に別な部分変形実施形態を示す断面図である。
【図８】本発明の第２実施形態に係る疑似ホログラム印刷物の正面図である。
【図９】同じく第３実施形態に係る疑似ホログラム印刷物の正面図である。
【図１０】図８の疑似ホログラム印刷物を製造する工程順序の説明図である。
【発明を実施するための形態】
【００３４】
以下、図面に基いて本発明の実施形態を詳述すると、図１〜４はその本発明に係る疑似ホログラム印刷物（Ａ）の第１実施形態を示しており、（１０）は紙やプラスチックフィルム、その他のシート材から成る印刷基材であって、その表面に光の反射層（１１）となるアルミホイルが接着一体化されている。
【００３５】
但し、図３と対応する図５の変形実施形態に示す如く、光の反射層（１１）となるアルミニウムや銀などが裏面に真空蒸着された透明プラスチックフィルム（蒸着フィルム）を、本発明の印刷基材（１０）として採用しても良い。
【００３６】
何れにしても、上記印刷基材（１０）の表面には有色インクによって着色下地層（１２）が印刷されている。その着色下地層（１２）は図３、４の部分拡大図から明白なように、着色カラーが異なる複数の平行な有色画線（１２ａ）（１２ｂ）（１２ｃ）から成る１組（１単位）が、規則正しく離隔的に（整然と一定間隔おきに）繰り返し並列する万線から成る。    
【００３７】
この点、図示の好ましい実施形態ではシアンの画線（１２ａ）とマゼンタの画線（１２ｂ）とイエローの画線（１２ｃ）との三原色から成る有色画線の合計３本（３列）を、着色カラーが異なる複数の縦方向（垂直方向）に沿い延在する平行な１組（１単位）として、その１組（１単位）ずつを一定な間隔ピッチ（Ｄ１）での繰り返し並列させることにより、群数の万線から成る着色下地層（１２）として形作っているが、その着色下地層（１２）における１組（１単位）の有色画線（１２ａ）（１２ｂ）（１２ｃ）を上記三原色の合計３本（３列）だけに限らず、例えばその三原色にブラックとホワイトとの２色を加えた合計５本（５列）の有色画線に設定しても良く、要するに異なる少なくとも２色から成る合計２本（２列）の有色画線であれば足りる。  
【００３８】
また、上記１組（１単位）をなす有色画線（１２ａ）（１２ｂ）（１２ｃ）の線幅（太さ）（Ｗ１）は例えば０．０４ｍｍとして、その複数のすべて同一に設定されており、その複数の隣り合う間隔ピッチ（Ｄ１）も例えば０．１２ｍｍとして、すべて同一に設定されているが、図２，３から示唆されるように、その１組（１単位）ずつの有色画線同士が隣り合う間隔ピッチ（Ｄ２）は、上記１組（１単位）をなす有色画線同士の隣り合う間隔ピッチ（Ｄ１）（先に例示した０．１２ｍｍ）と同一である場合に限らず、これより広く又は狭く相違する場合もあり得る。
【００３９】
更に、（１３）は着色下地層（１２）における複数の平行な有色画線（１２ａ）（１２ｂ）（１２ｃ）から成る１組（１単位）ずつを、図３、４のように表側から全体的に被覆する透明被覆層であり、上記着色下地層（１２）の万線よりも広い線幅（Ｗ２）（太い）の断面平凸レンズ形又はカマボコ形をなす万線として、上記印刷基材（１０）へ透明ニスにより印刷されている。
【００４０】
その場合、透明被覆層（１３）をなす万線の線幅（太さ）（Ｗ２）は、例えば０．２４ｍｍとしてすべて同一に設定されているが、その透明被覆層（１３）の隣り合う同士は例えば０．１２ｍｍのすべて同一間隔ピッチ（Ｄ３）を保つ離隔状態にあって、その隣り合う相互間が無印刷の空白部（１４）として残存されることにより、その空白部（１４）から上記印刷基材（１０）の表面が露出している。
【００４１】
図１〜４の第１実施形態では上記したように、着色下地層（１２）における１組をなす有色画線（１２ａ）（１２ｂ）（１２ｃ）の線幅（太さ）（Ｗ１）がその複数（図例の場合３本）のすべて同一に設定されており、またその複数の隣り合う間隔ピッチ（Ｄ１）もすべて同一に設定されているが、図５の変形実施形態に併せて示す如く、上記有色画線（１２ａ）（１２ｂ）（１２ｃ）の線幅（太さ）（Ｗ１）又は／及びその隣り合う間隔ピッチ（Ｄ１）を、その複数のすべて異ならせてもさしつかえない。これらがたとえ異なっていても、上記１組ずつがすべて同一の配列状態として、規則正しく離隔的に繰り返す万線から構成されておれば足りる。図５の変形実施形態によれば、着色下地層（１２）の有色画線（１２ａ）（１２ｂ）（１２ｃ）における濃淡又は強調度（強弱）の変化を得ることに役立つ。
【００４２】
また、図１〜４の第１実施形態では着色下地層（１２）における１組をなす異なる複数の有色画線（１２ａ）（１２ｂ）（１２ｃ）が、その隣り合う一定の間隔ピッチ（Ｄ１）を保つ離隔状態に並列されているが、その異なる少なくとも２色から成る合計２本の有色画線であれば、図６の別な変形実施形態から明白なように、例えばシアンの画線（１２ａ）とマゼンタの画線（１２ｂ）とをその隣り合う間隔のない言わば接触した並列状態（但し、非重ね刷り状態）や、図７の更に別な変形実施形態に示す如く、例えばマゼンタの画線（１２ｂ）とイエローの画線（１２ｃ）との積層重ね刷り状態に各々設定しても良い。図７の変形実施形態によれば、その異なる２色の混じり合った色調（例えば橙色）も得られることになる。
【００４３】
更に、図１〜４の第１実施形態ではその図１の概略全体図から窮知されるように、着色下地層（１２）を構成する万線と、延いてはその異なる複数の有色画線（１２ａ）（１２ｂ）（１２ｃ）から成る１組ずつを全体的に被覆する透明被覆層（１３）の太い万線とが、その配列角度の９０度として、すべて同じ縦方向（垂直方向）に沿い平行に配列されることにより、全体として１つの可飾線画像（縦縞模様の万線パターン）（Ｐ）を表示した疑似ホログラム印刷物（Ａ）に仕上げているが、図１と対応する図８、９の第２、３実施形態に例示する如く、上記着色下地層（１２）における万線の配列角度を異ならせることにより、その異なる万線から成る複数の識別可能な第１〜３可飾線画像（Ｐ１）（Ｐ２）（Ｐ３）や第１〜４可飾線画像（Ｐ１）（Ｐ２）（Ｐ３）（Ｐ４）を非重ね刷り状態に表示した疑似ホログラム印刷物（Ａ）に仕上げても良い。
【００４４】
この点、図８の第２実施形態では着色下地層（１２）における配列角度が９０度（垂直方向）の万線により、第２、３可飾線画像（Ｐ２）（Ｐ３）の背景又は地模様となる第１可飾線画像（万線パターン）（Ｐ１）と、同じく配列角度が右上がり４５度（右上がり傾斜方向）の万線により、左上がり傾斜した楕円リング形の第２可飾線画像（万線パターン）（Ｐ２）と、上記配列角度が左上がり４５度（左上がり傾斜方向）の万線により、右上がり傾斜した楕円リング形の第３可飾線画像（万線パターン）（Ｐ３）との３つを合成状態に表示している。
【００４５】
その場合、念のために言えば、上記第２実施形態の第１可飾線画像（Ｐ１）を形作る着色下地層（１２）の万線は、シアンの画線（１２ａ）とマゼンタの画線（１２ｂ）とイエローの画線（１２ｃ）との３色から成り、これに対して第２可飾線画像（Ｐ２）を形作る着色下地層（１２）の万線は、シアンの画線（１２ａ）とイエローの画線（１２ｃ）との２色から成り、第３可飾線画像（Ｐ３）を形作る着色下地層（１２）の万線は、マゼンタの画線（１２ｂ）とイエローの画線（１２ｃ）との２色から成る。
【００４６】
このように着色下地層（１２）における１組をなす有色画線の本数やその組み合わされる着色カラーが、各可飾線画像（万線パターン）（Ｐ１）（Ｐ２）（Ｐ３）（Ｐ４）について異なることもある。
【００４７】
また、図９の第３実施形態ではやはり着色下地層（１２）における配列角度が右上がり４５度（右上がり傾斜方向）の万線により、半ドーナツ形の第１可飾線画像（万線パターン）（Ｐ１）と、同じく配列角度が左上がり４５度（左上がり傾斜方向）の万線により、上記第１可飾線画像（Ｐ１）と向かい合う半ドーナツ形の第２可飾線画像（万線パターン）（Ｐ２）と、上記配列角度が零度（水平方向）の万線により、第４可飾線画像（Ｐ４）の背景または地模様となる円形の第３可飾線画像（万線パターン）（Ｐ３）と、上記配列角度が９０度（垂直方向）の万線により、アルファベット文字の第４可飾線画像（万線パターン）（Ｐ４）との４つを合成状態に表示している。
【００４８】
つまり、着色下地層（１２）における複数の可飾線画像（Ｐ１）（Ｐ２）（Ｐ３）（Ｐ４）は文字、図形、記号、模様又はこれらの組み合わせから成る標章として、その標章の輪郭が上記万線の切り離し両端部により区画されているため、その各可飾線画像（Ｐ１）（Ｐ２）（Ｐ３）（Ｐ４）の縁取りは必要なく、上記可飾線画像（Ｐ１）（Ｐ２）（Ｐ３）（Ｐ４）の複数が全体的な組み合わせ状態に表示された疑似ホログラム印刷物（Ａ）となっても、その可飾線画像（Ｐ１）（Ｐ２）（Ｐ３）（Ｐ４）同士の非重ね刷り状態に保たれている。
【００４９】
尚、複数の識別できる上記可飾線画像（Ｐ１）（Ｐ２）（Ｐ３）（Ｐ４）を得る方法として、着色下地層（１２）における万線の配列角度を異ならせているが、その方法のみに限らず、同じく着色下地層（１２）における万線の線幅（太さ）（Ｗ１）を異ならせたり、その万線同士の隣り合う間隔ピッチ（Ｄ１）を異ならせたり、更にその何れか２つの方法を組合わせて採用したりしても良い。
【００５０】
図１〜４の第１実施形態とその図５〜７の各種部分変形実施形態に係る疑似ホログラム印刷物（Ａ）は、上記構成を備えているため、その異なる複数の平行な有色画線（１２ａ）（１２ｂ）（１２ｃ）の１組（１単位）が規則正しく離隔的に繰り返し並列する万線から成る着色下地層（１２）を、その万線よりも広い線幅（Ｗ２）の万線から成る断面平凸レンズ形又はカマボコ形の透明被覆層（１３）を通じて見た時、その見る位置と方向次第では、上記透明被覆層（１３）の平凸レンズ作用による光の屈折角度又は反射角度が異なって、その可飾線画像（Ｐ）の着色下地層（１２）が見えたり、見えなかったりするほか、その見える程度（濃淡）も変る結果、真正なホログラムと同様な光沢と色調の多様に変化する目視効果を得られることになる。
【００５１】
その場合、断面平凸レンズ形又はカマボコ形をなす透明被覆層（１３）同士の隣り合う相互間は、無印刷の空白部（１４）として、印刷基材（１０）の表面が露出しているため、その平凸レンズとして透明被覆層（１３）を印刷基材（１０）の表面から背高く隆起させることができ、その可及的に大きな光の屈折作用によって、上記光沢と色調の多様な変化を広角度から見られる効果がある。
【００５２】
特に、図８、９の第２、３実施形態に係る疑似ホログラム印刷物（Ａ）のように、上記透明被覆層（１３）によって被覆された着色下地層（１２）を、その配列角度、線幅（Ｗ１）又は／及び隣り合う間隔ピッチ（Ｄ１）が異なる万線から成る複数の識別できる可飾線画像（Ｐ１）（Ｐ２）（Ｐ３）（Ｐ４）として、非重ね刷り状態に区成するならば、その複数の可飾線画像（Ｐ１）（Ｐ２）（Ｐ３）（Ｐ４）が合成状態に表示された疑似ホログラム印刷物（Ａ）として、上記光沢と色調がますます複雑・多様に変化した興趣と高級感に富む目視効果を得られるのである。
【００５３】
図１〜４の第１実施形態とその図５〜７の各種部分変形実施形態に係る疑似ホログラム印刷物（Ａ）を製造するに当っては、複数のノズルを備えたインクジェットプリンター（図示省略）と、好ましくはＵＶ硬化型の有色インク並びにＵＶ硬化型の透明ニスを用いて、次の工程を実行すれば良い。
【００５４】
即ち、図３に示すような表面が光反射層（１１）である紙などの印刷基材（１０）か、又は図５に示すような裏面が光反射層（１１）である透明なプラスチックフィルム（蒸着フィルム）などの印刷基材（１０）を用意して、図２、３のような異なる複数の平行な有色画線（１２ａ）（１２ｂ）（１２ｃ）から成る１組（１単位）が規則正しく離隔的に（整然と一定の間隔おきに）繰り返し並列する万線を、ＵＶ硬化型の有色インクにより上記印刷基材（１０）の表面へインクジェット印刷して、その万線から構成される着色下地層（１２）を形成する。
【００５５】
それから上記着色下地層（１２）における異なる複数の平行な有色画線（１２ａ）（１２ｂ）（１２ｃ）から成る１組（１単位）ずつを、表側から全体的に被覆すべく図３、４のように、上記着色下地層（１２）の有色画線（１２ａ）（１２ｂ）（１２ｃ）よりも広い線幅（Ｗ２）（太い）の万線を、ＵＶ硬化型の透明ニスによって断面平凸レンズ形又はカマボコ形にインクジェット印刷するのである。
【００５６】
その場合、インクジェットプリンターは複数のノズル（プリンターヘッド）を備えており、併せて有色インクと透明ニスもＵＶ硬化型のそれらであるため、上記着色下地層形成工程とその後続する透明被覆層形成工程とをほぼ同時にすばやく実行することができ、光沢や色調の興趣変化と高級感に富む疑似ホログラム印刷物（Ａ）を効率良く量産し得ることになる。
【００５７】
更に、図８、９の第２、３実施形態に示すような複数の異なる第１〜４可飾線画像（万線パターン）（Ｐ１）（Ｐ２）（Ｐ３）（Ｐ４）が組み合わせ状態にある疑似ホログラム印刷物（Ａ）を製造する方法でも、その各可飾線画像（万線パターン）（Ｐ１）（Ｐ２）（Ｐ３）（Ｐ４）の印刷工程としては、上記第１実施形態に基き説明した着色下地層形成工程と透明被覆層形成工程とを同じように行えば良い。
【００５８】
但し、その複数の可飾線画像（万線パターン）（Ｐ１）（Ｐ２）（Ｐ３）（Ｐ４）が重ね刷り状態とならないように、例えば図８の第２実施形態に係る疑似ホログラム印刷物（Ａ）の製造法において、その第１可飾線画像（Ｐ１）を最初に印刷すると仮定すれば、その時には図１０（イ）のように後続する第２、３可飾線画像（Ｐ２）（Ｐ３）の印刷予定部位を空白部（Ｓ）として確保しておく。
【００５９】
そして、上記第１可飾線画像（Ｐ１）の印刷後、引き続き図１０（ロ）（ハ）のように第２、３可飾線画像（Ｐ２）（Ｐ３）の印刷を順次行うのである。尚、その複数の可飾線画像（Ｐ１）（Ｐ２）（Ｐ３）を印刷する順序は、自由に選定することができる。
【００６０】
尚、上記疑似ホログラム印刷物（Ａ）はその印刷基材（１０）の裏面へ、例えば離型シート（図示省略）を貼り合わせておくことにより、これを剥離して、商品のパッケージや名刺などに貼り付け使用する商品ラベルや装飾シールなどとして提供することができる。
【符号の説明】
【００６１】
（１０）・・・印刷基材
（１１）・・・光反射層
（１２）・・・着色下地層
（１２ａ）・・・有色画線（シアン）
（１２ｂ）・・・有色画線（マゼンタ）
（１２ｃ）・・・有色画線（イエロー）
（１３）・・・透明被覆層
（１４）・・・空白部
（Ａ）・・・疑似ホログラム印刷物
（Ｄ１）・・・隣り合う間隔ピッチ
（Ｄ２）・・・隣り合う間隔ピッチ
（Ｄ３）・・・隣り合う間隔ピッチ
（Ｐ）・・・可飾線画像
（Ｐ１）・・・第１可飾線画像
（Ｐ２）・・・第２可飾線画像
（Ｐ３）・・・第３可飾線画像
（Ｐ４）・・・第４可飾線画像
（Ｗ１）・・・線幅（太さ）
（Ｗ２）・・・線幅（太さ）
【図１】
2020124832.tif 000003
【図２】
2020124832.tif 000004
【図３】
2020124832.tif 000005
【図４】
2020124832.tif 000006
【図５】
2020124832.tif 000007
【図６】
2020124832.tif 000008
【図７】
2020124832.tif 000009
【図８】
2020124832.tif 000010
【図９】
2020124832.tif 000011
【図１０】
2020124832.tif 000012
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
表面に光反射層（１１）を有する印刷基材（１０）又は裏面に光反射層（１１）を有する透明な印刷基材（１０）と、
異なる複数の平行な有色画線（１２ａ）（１２ｂ）（１２ｃ）から成る１組が規則正しく離隔的に繰り返し並列する万線として、上記印刷基材（１０）の表面へ有色インクによりインクジェット印刷された着色下地層（１２）と、
その着色下地層（１２）の上記異なる複数の平行な有色画線（１２ａ）（１２ｂ）（１２ｃ）から成る１組ずつを表側から全体的に被覆すべく、上記着色下地層（１２）の有色画線（１２ａ）（１２ｂ）（１２ｃ）よりも広い線幅（Ｗ２）の万線として、透明ニスにより断面平凸レンズ形にインクジェット印刷された透明被覆層（１３）とを備え、
その透明被覆層（１３）同士の隣り合う相互間が無印刷の空白部（１４）として、その空白部（１４）から上記印刷基材（１０）の表面が露出している疑似ホログラム印刷物（Ａ）であって、
上記透明被覆層（１３）により被覆された着色下地層（１２）の有色画線（１２ａ）（１２ｂ）（１２ｃ）から成る万線の配列角度のみか、その配列角度と１組をなす本数並びにその組み合わされる着色カラー、線幅（Ｗ１）又は／及び隣り合う間隔ピッチ（Ｄ１）とが異なる複数の識別できる可飾線画像（Ｐ１）（Ｐ２）（Ｐ３）（Ｐ４）を、文字、図形、記号、模様又はこれらの組み合わせから成る標章として、その標章の輪郭を上記万線の切り離し両端部が区成することにより、縁取りのない非重ね刷り状態にある複数の上記可飾線画像（Ｐ１）（Ｐ２）（Ｐ３）（Ｐ４）を合成状態に表示したことを特徴とする疑似ホログラム印刷物。
【請求項２】
請求項１に記載された疑似ホログラム印刷物の製造法であって、
各可飾線画像（Ｐ１）（Ｐ２）（Ｐ３）（Ｐ４）を形作る着色下地層（１２）の万線を印刷基材（１０）の表面へ、有色インクによってインクジェット印刷する着色下地層形成工程と、
その着色下地層（１２）を表側から全体的に被覆する透明被覆層（１３）を、その隣り合う相互間に空白部（１４）を保つ状態として、透明ニスにより断面平凸レンズ形にインクジェット印刷する透明被覆層形成工程とを、
上記有色インクと透明ニスとの何れもＵＶ硬化型のそれとして、可飾線画像（Ｐ１）（Ｐ２）（Ｐ３）（Ｐ４）同士が縁取りのない非重ね刷り状態を保つように、インクジェットプリンターによりほぼ同時に実行することを特徴とする疑似ホログラム印刷物の製造法。
【手続補正２】
【補正対象書類名】明細書
【補正対象項目名】全文
【補正方法】変更
【補正の内容】
【発明の詳細な説明】
【技術分野】
【０００１】
本発明はホログラムと同様な興趣変化に富む視覚効果を得られる商品ラベルや装飾シール、その他の疑似ホログラム印刷物と、その量産上有効な製造法に関する。
【背景技術】
【０００２】
本発明に近似する疑似ホログラム印刷物やその製造法が、特許文献１、２に開示されている。
【０００３】
その特許文献１に記載の印刷物は、表面に多数の凸部（３Ａ）又は凹部（３Ｂ）を有する光が透過可能であって、透明なニスにて構成された透過層（３）と、その透過層（３）の裏面側に設けられた光の反射面（５Ａ）を有する反射層（５）と、上記透過層（３）と反射層（５）との間に設けられ、多数の有色着色部（７Ａ）が印刷により離散的に配置された着色層（７）と、同じく透過層（３）と反射層（５）との間に設けられ、上記有色着色部（７Ａ）の厚み寸法（Ｔ２）と同一の厚み寸法を有し、その有色着色部（７Ａ）同士の隣り合う相互間にメジウム（無色透明インク）にて印刷された無色部（９）とを備え、その無色部（９）が上記透過層（３）の凹部（３Ｂ）と対応する部位に設けられた構成である。
【０００４】
他方、特許文献２に記載の疑似ホログラム印刷物は、印刷対象物（１０）の表面にある光の反射層（２）と、その反射層（２）の上層へ有色インクによって印刷された有色インク層（３）と、その有色インク層（３）の上層における所定の範囲へ透明インクによって印刷される疑似ホログラム層（４）とを有する疑似ホログラム印刷物（１）であって、
【０００５】
その疑似ホログラム層（４）が上記有色インク層（３）の光の反射率を低減する複数のつや消し透明インク部（４１）と、同じく有色インク層（３）の光の反射率を高める複数の光沢透明インク部（４２）と、上記つや消し透明インク及び光沢透明インクを印刷しない複数の空白部（４３）とのうち、少なくともいずれか２つ以上で構成されている。
【０００６】
また、特許文献２に記載された疑似ホログラム印刷物の製造法は、印刷対象物（１０）の表面にある光反射層（２）の上層へ有色インクを印刷する有色インク印刷工程（Ｓ１）と、その有色インクの上層における所定の範囲内へつや消し透明インクを離隔的に印刷するつや消し透明インク印刷工程（Ｓ２）と、同じく有色インクの上層における所定の範囲内へ光沢透明インクを、上記つや消し透明インクの印刷部分と異なる位置であって、且つ離隔的に印刷する光沢透明インク印刷工程（Ｓ３）とを有している。
【先行技術文献】
【特許文献】
【０００７】
【特許文献１】特許第６２７１８５５号公報
【特許文献２】特開２０１７−７１１３７号公報
【発明の概要】
【発明が解決しようとする課題】
【０００８】
ところが、上記特許文献１に記載された印刷物の構成では、透明ニスにて印刷形成された光の透過層（３）が、その表面に必ず凹部（３Ｂ）を有することに加えて、着色層（７）の無色部（９）がメジウム（無色透明インク）にて、有色着色部（７Ａ）の厚み寸法（Ｔ２）と同一の厚み寸法に印刷されてもいるため、上記光の透過層（３）における凸部（３Ａ）と凹部（３Ｂ）との高低差を大きく確保し難く、ただ単に光を散乱させるというに過ぎない。
【０００９】
また、上記透過層（３）の凸部（３Ａ）が万線となる旨の説明はない。しかも、上記着色層（７）の有色着色部（７Ａ）が着色カラーの異なる有色画線から成る万線として印刷されている旨の説明もない。
【００１０】
そのため、上記着色層（７）の有色着色部（７Ａ）がたとえ縞模様に印刷されたとしても、その縞模様となる平行線や交叉線が太いベタ刷り状態にあると、複雑・多様な色調の興趣変化や高級感に富む目視効果を得られないのである。
【００１１】
他方、特許文献２に記載の疑似ホログラム印刷物では、透明インクの印刷されていない空白部（４３）を有するが、光の反射率が異なるつや消し透明インク部（４１）と光沢透明インク部（４２）と上記空白部（４３）とのうち、その少なくともいずれか２つ以上を有色インク層（３）と混在させる構成によって、観察者に立体的な錯覚を与えるようになっている。
【００１２】
そのため、上記有色インク層（３）有色インクが単一色であると、その濃淡の変化は得られても、色調の変化は得られないのであり、まして有色インク層（３）の有色インクにより印刷された図柄や文字などの画像は、万線から区画形成されていないので、やはり複雑・多様な色調の変化や高級感に富む疑似ホログラム印刷物を得られないのである。
【００１３】
更に、その印刷物の製造法としても有色インク印刷工程（Ｓ１）のほかに、その後行うつや消し透明インク印刷工程（Ｓ２）と光沢透明インク印刷工程（Ｓ３）とが必要であり、しかもそのつや消し透明インクと光沢透明インクとは何れも、有色インクによって印刷された文字部分と重なり合わないように印刷しなければならないため、甚だ煩わしく、量産効果を発揮させることができない。
【課題を解決するための手段】
【００１４】
本発明はこのような課題の改良を目的としており、その目的を達成するために、請求項１では表面に光反射層を有する印刷基材又は裏面に光反射層を有する透明な印刷基材と、
【００１５】
異なる複数の平行な有色画線から成る１組が規則正しく離隔的に繰り返し並列する万線として、上記印刷基材の表面へ有色インクによりインクジェット印刷された着色下地層と、
【００１６】
その着色下地層の上記異なる複数の平行な有色画線から成る１組ずつを表側から全体的に被覆すべく、上記着色下地層の有色画線よりも広い線幅の万線として、透明ニスにより断面平凸レンズ形にインクジェット印刷された透明被覆層とを備え、
【００１７】
その透明被覆層同士の隣り合う相互間が無印刷の空白部として、その空白部から上記印刷基材の表面が露出している疑似ホログラム印刷物であって、
【００１８】
上記透明被覆層により被覆された着色下地層の有色画線から成る万線の配列角度のみか、その配列角度と１組をなす本数並びにその組み合わされる着色カラー、線幅又は／及び隣り合う間隔ピッチとが異なる複数の識別できる可飾線画像を、文字、図形、記号、模様又はこれらの組み合わせから成る標章として、その標章の輪郭を上記万線の切り離し両端部が区成することにより、縁取りのない非重ね刷り状態にある複数の上記可飾線画像を合成状態に表示したことを特徴とする。
【００１９】
また、請求項２では請求項１に記載された疑似ホログラム印刷物の製造法であって、
【００２０】
各可飾線画像を形作る着色下地層の万線を印刷基材の表面へ、有色インクによってインクジェット印刷する着色下地層形成工程と、
【００２１】
その着色下地層を表側から全体的に被覆する透明被覆層を、その隣り合う相互間に空白部を保つ状態として、透明ニスにより断面平凸レンズ形にインクジェット印刷する透明被覆層形成工程とを、
【００２２】
上記有色インクと透明ニスとの何れもＵＶ硬化型のそれとして、可飾線画像同士が縁取りのない非重ね刷り状態を保つように、インクジェットプリンターによりほぼ同時に実行することを特徴とする。
【発明の効果】
【００２３】
請求項１の上記構成によれば、その疑似ホログラム印刷物の着色下地層が異なる複数の平行な有色画線の１組を規則正しく離隔的に繰り返し並列した万線から成る一方、その着色下地層における有色画線の１組ずつを表側から全体的に被覆する透明被覆層も、広い線幅の万線から成ると共に、その透明被覆層は断面平凸レンズ形として、その隣り合う同士の相互間が無印刷の空白部を確保する並列状態に印刷されているため、冒頭に述べた従来技術の課題を悉く改良することができ、光沢と色調の複雑・多様に変化する興趣と高級感に富む目視効果を得られるのである。
【００２４】
しかも、上記透明被覆層により被覆された着色下地層における万線の配列角度を異ならせたり、その万線の配列角度と線幅（太さ）又は／及び隣り合う間隔ピッチを異ならせたり、同じく万線とその１組をなす本数並びにその組み合わされる着色カラーとを異ならせることにより、その異なる万線から成る複数の識別できる可飾線画像が、文字、図形、記号、模様又はこれらの組み合わせから成る標章として、その標章の輪郭を上記万線の切り離し両端部で区成することにより、縁取りがない非重ね刷り状態に合成表示されているため、上記光沢と色調がますます複雑・多様に変化する独創性や装飾性などの高い疑似ホログラム印刷物を得られるのである。
【００２５】
他方、請求項２の製造法によれば、請求項１に記載の疑似ホログラム印刷物を、インクジェットプリンターにより効率良く量産できる効果がある。
【図面の簡単な説明】
【００２６】
【図１】本発明の第１実施形態に係る疑似ホログラム印刷物の正面図である。
【図２】図１の一部を抽出して示す拡大説明図である。
【図３】図２の３−３線断面図である。
【図４】図３から着色下地層の１組をなす複数の有色画線と、その１組の透明被覆層を抽出して示す斜面図である。
【図５】図３と対応する部分変形実施形態を示す断面図である。
【図６】図５と別な部分変形実施形態を示す断面図である。
【図７】図６と更に別な部分変形実施形態を示す断面図である。
【図８】本発明の第２実施形態に係る疑似ホログラム印刷物の正面図である。
【図９】同じく第３実施形態に係る疑似ホログラム印刷物の正面図である。
【図１０】図８の疑似ホログラム印刷物を製造する工程順序の説明図である。
【発明を実施するための形態】
【００２７】
以下、図面に基いて本発明の実施形態を詳述すると、図１〜４はその本発明に係る疑似ホログラム印刷物（Ａ）の第１実施形態を示しており、（１０）は紙やプラスチックフィルム、その他のシート材から成る印刷基材であって、その表面に光の反射層（１１）となるアルミホイルが接着一体化されている。
【００２８】
但し、図３と対応する図５の変形実施形態に示す如く、光の反射層（１１）となるアルミニウムや銀などが裏面に真空蒸着された透明プラスチックフィルム（蒸着フィルム）を、本発明の印刷基材（１０）として採用しても良い。
【００２９】
何れにしても、上記印刷基材（１０）の表面には有色インクによって着色下地層（１２）が印刷されている。その着色下地層（１２）は図３、４の部分拡大図から明白なように、着色カラーが異なる複数の平行な有色画線（１２ａ）（１２ｂ）（１２ｃ）から成る１組（１単位）が、規則正しく離隔的に（整然と一定間隔おきに）繰り返し並列する万線から成る。
【００３０】
この点、図示の好ましい実施形態ではシアンの画線（１２ａ）とマゼンタの画線（１２ｂ）とイエローの画線（１２ｃ）との三原色から成る有色画線の合計３本（３列）を、着色カラーが異なる複数の縦方向（垂直方向）に沿い延在する平行な１組（１単位）として、その１組（１単位）ずつを一定な間隔ピッチ（Ｄ１）での繰り返し並列させることにより、群数の万線から成る着色下地層（１２）として形作っているが、その着色下地層（１２）における１組（１単位）の有色画線（１２ａ）（１２ｂ）（１２ｃ）を上記三原色の合計３本（３列）だけに限らず、例えばその三原色にブラックとホワイトとの２色を加えた合計５本（５列）の有色画線に設定しても良く、要するに異なる少なくとも２色から成る合計２本（２列）の有色画線であれば足りる。
【００３１】
また、上記１組（１単位）をなす有色画線（１２ａ）（１２ｂ）（１２ｃ）の線幅（太さ）（Ｗ１）は例えば０．０４ｍｍとして、その複数のすべて同一に設定されており、その複数の隣り合う間隔ピッチ（Ｄ１）も例えば０．１２ｍｍとして、すべて同一に設定されているが、図２，３から示唆されるように、その１組（１単位）ずつの有色画線同士が隣り合う間隔ピッチ（Ｄ２）は、上記１組（１単位）をなす有色画線同士の隣り合う間隔ピッチ（Ｄ１）（先に例示した０．１２ｍｍ）と同一である場合に限らず、これより広く又は狭く相違する場合もあり得る。
【００３２】
更に、（１３）は着色下地層（１２）における複数の平行な有色画線（１２ａ）（１２ｂ）（１２ｃ）から成る１組（１単位）ずつを、図３、４のように表側から全体的に被覆する透明被覆層であり、上記着色下地層（１２）の万線よりも広い線幅（Ｗ２）（太い）の断面平凸レンズ形をなす万線として、上記印刷基材（１０）へ透明ニスにより印刷されている。
【００３３】
その場合、透明被覆層（１３）をなす万線の線幅（太さ）（Ｗ２）は、例えば０．２４ｍｍとしてすべて同一に設定されているが、その透明被覆層（１３）の隣り合う同士は例えば０．１２ｍｍのすべて同一間隔ピッチ（Ｄ３）を保つ離隔状態にあって、その隣り合う相互間が無印刷の空白部（１４）として残存されることにより、その空白部（１４）から上記印刷基材（１０）の表面が露出している。
【００３４】
図１〜４の第１実施形態では上記したように、着色下地層（１２）における１組をなす有色画線（１２ａ）（１２ｂ）（１２ｃ）の線幅（太さ）（Ｗ１）がその複数（図例の場合３本）のすべて同一に設定されており、またその複数の隣り合う間隔ピッチ（Ｄ１）もすべて同一に設定されているが、図５の変形実施形態に併せて示す如く、上記有色画線（１２ａ）（１２ｂ）（１２ｃ）の線幅（太さ）（Ｗ１）又は／及びその隣り合う間隔ピッチ（Ｄ１）を、その複数のすべて異ならせてもさしつかえない。これらがたとえ異なっていても、上記１組ずつがすべて同一の配列状態として、規則正しく離隔的に繰り返す万線から構成されておれば足りる。図５の変形実施形態によれば、着色下地層（１２）の有色画線（１２ａ）（１２ｂ）（１２ｃ）における濃淡又は強調度（強弱）の変化を得ることに役立つ。
【００３５】
また、図１〜４の第１実施形態では着色下地層（１２）における１組をなす異なる複数の有色画線（１２ａ）（１２ｂ）（１２ｃ）が、その隣り合う一定の間隔ピッチ（Ｄ１）を保つ離隔状態に並列されているが、その異なる少なくとも２色から成る合計２本の有色画線であれば、図６の別な変形実施形態から明白なように、例えばシアンの画線（１２ａ）とマゼンタの画線（１２ｂ）とをその隣り合う間隔のない言わば接触した並列状態（但し、非重ね刷り状態）や、図７の更に別な変形実施形態に示す如く、例えばマゼンタの画線（１２ｂ）とイエローの画線（１２ｃ）との積層重ね刷り状態に各々設定しても良い。図７の変形実施形態によれば、その異なる２色の混じり合った色調（例えば橙色）も得られることになる。
【００３６】
更に、図１〜４の第１実施形態ではその図１の概略全体図から窮知されるように、着色下地層（１２）を構成する万線と、延いてはその異なる複数の有色画線（１２ａ）（１２ｂ）（１２ｃ）から成る１組ずつを全体的に被覆する透明被覆層（１３）の太い万線とが、その配列角度の９０度として、すべて同じ縦方向（垂直方向）に沿い平行に配列されることにより、全体として１つの可飾線画像（縦縞模様の万線パターン）（Ｐ）を表示した疑似ホログラム印刷物（Ａ）に仕上げているが、図１と対応する図８、９の第２、３実施形態に例示する如く、上記着色下地層（１２）における万線の配列角度を異ならせることにより、その異なる万線から成る複数の識別可能な第１〜３可飾線画像（Ｐ１）（Ｐ２）（Ｐ３）や第１〜４可飾線画像（Ｐ１）（Ｐ２）（Ｐ３）（Ｐ４）を非重ね刷り状態に表示した疑似ホログラム印刷物（Ａ）に仕上げても良い。
【００３７】
この点、図８の第２実施形態では着色下地層（１２）における配列角度が９０度（垂直方向）の万線により、第２、３可飾線画像（Ｐ２）（Ｐ３）の背景又は地模様となる第１可飾線画像（万線パターン）（Ｐ１）と、同じく配列角度が右上がり４５度（右上がり傾斜方向）の万線により、左上がり傾斜した楕円リング形の第２可飾線画像（万線パターン）（Ｐ２）と、上記配列角度が左上がり４５度（左上がり傾斜方向）の万線により、右上がり傾斜した楕円リング形の第３可飾線画像（万線パターン）（Ｐ３）との３つを合成状態に表示している。
【００３８】
その場合、念のために言えば、上記第２実施形態の第１可飾線画像（Ｐ１）を形作る着色下地層（１２）の万線は、シアンの画線（１２ａ）とマゼンタの画線（１２ｂ）とイエローの画線（１２ｃ）との３色から成り、これに対して第２可飾線画像（Ｐ２）を形作る着色下地層（１２）の万線は、シアンの画線（１２ａ）とイエローの画線（１２ｃ）との２色から成り、第３可飾線画像（Ｐ３）を形作る着色下地層（１２）の万線は、マゼンタの画線（１２ｂ）とイエローの画線（１２ｃ）との２色から成る。
【００３９】
このように着色下地層（１２）における１組をなす有色画線の本数やその組み合わされる着色カラーが、各可飾線画像（万線パターン）（Ｐ１）（Ｐ２）（Ｐ３）（Ｐ４）について異なることもある。
【００４０】
また、図９の第３実施形態ではやはり着色下地層（１２）における配列角度が右上がり４５度（右上がり傾斜方向）の万線により、半ドーナツ形の第１可飾線画像（万線パターン）（Ｐ１）と、同じく配列角度が左上がり４５度（左上がり傾斜方向）の万線により、上記第１可飾線画像（Ｐ１）と向かい合う半ドーナツ形の第２可飾線画像（万線パターン）（Ｐ２）と、上記配列角度が零度（水平方向）の万線により、第４可飾線画像（Ｐ４）の背景または地模様となる円形の第３可飾線画像（万線パターン）（Ｐ３）と、上記配列角度が９０度（垂直方向）の万線により、アルファベット文字の第４可飾線画像（万線パターン）（Ｐ４）との４つを合成状態に表示している。
【００４１】
つまり、着色下地層（１２）における複数の可飾線画像（Ｐ１）（Ｐ２）（Ｐ３）（Ｐ４）は文字、図形、記号、模様又はこれらの組み合わせから成る標章として、その標章の輪郭が上記万線の切り離し両端部により区画されているため、その各可飾線画像（Ｐ１）（Ｐ２）（Ｐ３）（Ｐ４）の縁取りは必要なく、上記可飾線画像（Ｐ１）（Ｐ２）（Ｐ３）（Ｐ４）の複数が全体的な組み合わせ状態に表示された疑似ホログラム印刷物（Ａ）となっても、その可飾線画像（Ｐ１）（Ｐ２）（Ｐ３）（Ｐ４）同士の非重ね刷り状態に保たれている。
【００４２】
尚、複数の識別できる上記可飾線画像（Ｐ１）（Ｐ２）（Ｐ３）（Ｐ４）を得る方法として、着色下地層（１２）における万線の配列角度を異ならせているが、その方法のみに限らず、同じく着色下地層（１２）における万線の線幅（太さ）（Ｗ１）を異ならせたり、その万線同士の隣り合う間隔ピッチ（Ｄ１）を異ならせたり、更にその何れか２つの方法を組合わせて採用したりしても良い。
【００４３】
図１〜４の第１実施形態とその図５〜７の各種部分変形実施形態に係る疑似ホログラム印刷物（Ａ）は、上記構成を備えているため、その異なる複数の平行な有色画線（１２ａ）（１２ｂ）（１２ｃ）の１組（１単位）が規則正しく離隔的に繰り返し並列する万線から成る着色下地層（１２）を、その万線よりも広い線幅（Ｗ２）の万線から成る断面平凸レンズ形の透明被覆層（１３）を通じて見た時、その見る位置と方向次第では、上記透明被覆層（１３）の平凸レンズ作用による光の屈折角度又は反射角度が異なって、その可飾線画像（Ｐ）の着色下地層（１２）が見えたり、見えなかったりするほか、その見える程度（濃淡）も変る結果、真正なホログラムと同様な光沢と色調の多様に変化する目視効果を得られることになる。
【００４４】
その場合、断面平凸レンズ形をなす透明被覆層（１３）同士の隣り合う相互間は、無印刷の空白部（１４）として、印刷基材（１０）の表面が露出しているため、その平凸レンズとして透明被覆層（１３）を印刷基材（１０）の表面から背高く隆起させることができ、その可及的に大きな光の屈折作用によって、上記光沢と色調の多様な変化を広角度から見られる効果がある。
【００４５】
特に、図８、９の第２、３実施形態に係る疑似ホログラム印刷物（Ａ）のように、上記透明被覆層（１３）によって被覆された着色下地層（１２）を、その配列角度、線幅（Ｗ１）又は／及び隣り合う間隔ピッチ（Ｄ１）が異なる万線から成る複数の識別できる可飾線画像（Ｐ１）（Ｐ２）（Ｐ３）（Ｐ４）として、非重ね刷り状態に区成するならば、その複数の可飾線画像（Ｐ１）（Ｐ２）（Ｐ３）（Ｐ４）が合成状態に表示された疑似ホログラム印刷物（Ａ）として、上記光沢と色調がますます複雑・多様に変化した興趣と高級感に富む目視効果を得られるのである。
【００４６】
図１〜４の第１実施形態とその図５〜７の各種部分変形実施形態に係る疑似ホログラム印刷物（Ａ）を製造するに当っては、複数のノズルを備えたインクジェットプリンター（図示省略）と、好ましくはＵＶ硬化型の有色インク並びにＵＶ硬化型の透明ニスを用いて、次の工程を実行すれば良い。
【００４７】
即ち、図３に示すような表面が光反射層（１１）である紙などの印刷基材（１０）か、又は図５に示すような裏面が光反射層（１１）である透明なプラスチックフィルム（蒸着フィルム）などの印刷基材（１０）を用意して、図２、３のような異なる複数の平行な有色画線（１２ａ）（１２ｂ）（１２ｃ）から成る１組（１単位）が規則正しく離隔的に（整然と一定の間隔おきに）繰り返し並列する万線を、ＵＶ硬化型の有色インクにより上記印刷基材（１０）の表面へインクジェット印刷して、その万線から構成される着色下地層（１２）を形成する。
【００４８】
それから上記着色下地層（１２）における異なる複数の平行な有色画線（１２ａ）（１２ｂ）（１２ｃ）から成る１組（１単位）ずつを、表側から全体的に被覆すべく図３、４のように、上記着色下地層（１２）の有色画線（１２ａ）（１２ｂ）（１２ｃ）よりも広い線幅（Ｗ２）（太い）の万線を、ＵＶ硬化型の透明ニスによって断面平凸レンズ形にインクジェット印刷するのである。
【００４９】
その場合、インクジェットプリンターは複数のノズル（プリンターヘッド）を備えており、併せて有色インクと透明ニスもＵＶ硬化型のそれらであるため、上記着色下地層形成工程とその後続する透明被覆層形成工程とをほぼ同時にすばやく実行することができ、光沢や色調の興趣変化と高級感に富む疑似ホログラム印刷物（Ａ）を効率良く量産し得ることになる。
【００５０】
更に、図８、９の第２、３実施形態に示すような複数の異なる第１〜４可飾線画像（万線パターン）（Ｐ１）（Ｐ２）（Ｐ３）（Ｐ４）が組み合わせ状態にある疑似ホログラム印刷物（Ａ）を製造する方法でも、その各可飾線画像（万線パターン）（Ｐ１）（Ｐ２）（Ｐ３）（Ｐ４）の印刷工程としては、上記第１実施形態に基き説明した着色下地層形成工程と透明被覆層形成工程とを同じように行えば良い。
【００５１】
但し、その複数の可飾線画像（万線パターン）（Ｐ１）（Ｐ２）（Ｐ３）（Ｐ４）が重ね刷り状態とならないように、例えば図８の第２実施形態に係る疑似ホログラム印刷物（Ａ）の製造法において、その第１可飾線画像（Ｐ１）を最初に印刷すると仮定すれば、その時には図１０（イ）のように後続する第２、３可飾線画像（Ｐ２）（Ｐ３）の印刷予定部位を空白部（Ｓ）として確保しておく。
【００５２】
そして、上記第１可飾線画像（Ｐ１）の印刷後、引き続き図１０（ロ）（ハ）のように第２、３可飾線画像（Ｐ２）（Ｐ３）の印刷を順次行うのである。尚、その複数の可飾線画像（Ｐ１）（Ｐ２）（Ｐ３）を印刷する順序は、自由に選定することができる。
【００５３】
尚、上記疑似ホログラム印刷物（Ａ）はその印刷基材（１０）の裏面へ、例えば離型シート（図示省略）を貼り合わせておくことにより、これを剥離して、商品のパッケージや名刺などに貼り付け使用する商品ラベルや装飾シールなどとして提供することができる。
【符号の説明】
【００５４】
（１０）・・・印刷基材
（１１）・・・光反射層
（１２）・・・着色下地層
（１２ａ）・・・有色画線（シアン）
（１２ｂ）・・・有色画線（マゼンタ）
（１２ｃ）・・・有色画線（イエロー）
（１３）・・・透明被覆層
（１４）・・・空白部
（Ａ）・・・疑似ホログラム印刷物
（Ｄ１）・・・隣り合う間隔ピッチ
（Ｄ２）・・・隣り合う間隔ピッチ
（Ｄ３）・・・隣り合う間隔ピッチ
（Ｐ）・・・可飾線画像
（Ｐ１）・・・第１可飾線画像
（Ｐ２）・・・第２可飾線画像
（Ｐ３）・・・第３可飾線画像
（Ｐ４）・・・第４可飾線画像
（Ｗ１）・・・線幅（太さ）
（Ｗ２）・・・線幅（太さ）